Podtech/llm-jp-corpus-v4-ja_patent huggingface dataset:
(57)【要約】【課題】  薄い油膜状の流出油も好適に回収することのできる油水分離装置を提供することにある。【解決手段】  一方に開口部を有する囲繞堰の内側に、該開口部に対向するように少なくとも１枚の越流板を設けてなる油水分離装置。【選択図】図３
2016131971.tif 000002
【特許請求の範囲】
【請求項１】
一方に開口部を有する囲繞堰の内側に、該開口部に対向するように少なくとも１枚の越流板を設けたことを特徴とする油水分離装置。
【発明の詳細な説明】
【技術分野】
【０００１】  本発明は水路、河川、湖沼、港湾等における流出油の回収を行う油水分離装置に係り、特に薄い油膜状の油を分離するに適した油水分離装置に関する。
【背景技術】
【０００２】  日本の内陸部で発生する油流出事故は、国土交通省が把握する一級河川水系だけでも毎年１千件程が発生している（非特許文献１）。流出源は、工場、施設、一般家庭、ホテル、農場等の燃料タンク発停装置故障・配管破損、横転したタンクローリー等であり、これらの油は水路に流れ出るケースが多い。流出油種も、灯油、Ａ重油、軽油等の軽質油が主であり、これらは流出源から水路に入り、数百ｍ〜数ｋｍ流れ、その後大きな川を経て海に流出していた。【０００３】  現在まで幸い海洋で発生しているような大規模な事故は発生していないが、一級河川水系とそれ以外の水域（普通河川等で市町村が所管している）で時々発生する１０〜５０ｋｌの規模の流出油は、内陸部の油濁としては大規模であり、水道等の取水停止、汽水域漁業被害の拡大を招来していた。【０００４】  従来、これらの集油及び油の回収方法としては、土嚢堰、オイルフェンス展張、コンパネ堰を設置して行われていた。しかしながら、土嚢堰は時間と労力が必要であり、オイルフェンスは展張技術に課題があると共に、トップテンション型の場合スカートが浮上し、機能が喪失されてしまう欠点があった。
また、水路を流れる油膜を食い止めるためにコンパネ板を水路に設置して堰を作り、状況に合わせて１ｍ間隔で多段に設置し、流速を弱めて集油する方法は、底質が泥、石、コンクリート等の場合、コンパネの固定方法に問題があった（非特許文献２）。
さらに、油吸着材の場合、薄い油膜状の油は、油が油吸着材の下又は上を流れてしまい吸着されない欠点があった。
【先行技術文献】
【０００５】
【非特許文献１】  「全国一級河川の水質現況」第１６０頁（国土交通省発行２０１３年）
【非特許文献２】  「水路の堰について」（「油濁情報」第６号第２０〜２１頁、公益財団法人  海と渚環境美化・油濁対策機構２０１４年）
【発明の概要】
【発明が解決しようとする課題】
【０００６】  そこで本発明者は、特に薄い油膜状の流出油でも好適に油水分離を行って油分を回収する装置について種々研究を重ねた結果、本発明を完成するに至った。
【課題を解決するための手段】
【０００７】  すなわち本発明は、一方に開口部を有する囲繞堰の内側に開口部に対向するように少なくとも１枚の越流板を設けてなる油水分離装置である。
【発明の効果】
【０００８】  本発明の油水分離装置は、簡単な構造であるため、製作費が安価であり、組み立ても現場等で簡単に行う事が出来ると共に、水面に浮いた薄い油膜状の油分、浮遊物等も好適に分離回収する事が出来る。
【図面の簡単な説明】
【０００９】
【図１】  本発明の油水分離装置の一態様を示した斜視図
【図２】  折り畳み可能な油水分離装置の斜視図
【図３】  本発明の油水分離装置を川に設置したときの平面図
【発明を実施するための形態】
【００１０】  次に、本発明を図面に参照しながら説明する。
図１は、本発明の油水分離装置の一態様を示した斜視図である。Ｖ字形をした囲繞堰１は、一方に開口部２を有する。囲繞堰１の内側には、開口部２に対向するように越流板３が設けられている。そしてこの越流板３の両端部は、囲繞堰１の内側面に固定されている。また越流板３は、鉛直から水流に対し（開口部側）４５度の角度に傾斜して設ける事が好ましい。  また本発明の油水分離装置は、図１に示すように、越流板３の下流側に、間隔を設けて開口部２に対向するように越流板３’を設ける事ができる。  さらに必要により越流板を増設する事もできる。前記越流板の間隔及び越流板の設置数は、流速、浮遊する油の量により適宜選択する事ができる。
【００１１】  本発明の囲繞堰１の形態としては、図１に示すようなＶ字型以外に、例えば凹字型等いずれの形状のものでも使用する事ができるが、集油して油層厚を確保することを考慮すると、油溜部４の表面積は狭い方が好ましい。
囲繞堰１の素材は、木材、発泡スチロール等の比重が１以下のものの外、例えばフロート等の水面に浮くものであれば、いずれも使用することができる。また、素材の比重が１以上であっても、囲繞堰１の適宜の箇所に浮体等を設けることによって、好適に使用することができる。前記したように越流板の素材は、いずれのものでも使用する事ができるが、特に好ましくは、比重が１以下のものが好ましい。
【００１２】  本発明の越流板は、川などに入れたときに水流の抵抗を受けない状態で、その上縁部がほぼ水面位置になるように設置することが好ましい。また、越流板の吃水線から下縁部迄の長さも前記と同様に流速及び流出油の量及び油層厚によって適宜選択する事ができる。一般的に越流板の設置位置は、上縁部が水面から０〜０．５ｃｍ程度水面上に露出している事が好ましい。一方下縁部は、吃水線から下方に３〜５ｃｍ程度延びていることが好ましい。さらに越流板は、その上縁部が囲繞堰の上縁部より下方に位置することが必要である。そして囲繞堰の上縁部と越流板の上縁部との高さ位置は流速等を考慮して決定することができる。
【００１３】  また本発明の油水分離装置は、運搬等に便利なように組立式とすることができる。
例えば図２に示すように、囲繞堰１を分割した囲繞部位１Ａ、１Ｂ、１Ｃ、１Ｄをそれぞれ隣接する囲繞部位同志を適宜の手段で連結し、又越流板も囲繞堰内側の幅に応じて適宜の越流板部位３Ａ、３Ｂを連結して使用することができる。
【００１４】  次に本発明の油水分離装置を川に設置した実施方法について説明する。
図１に示した木製の油水分離装置（囲繞堰は一辺が長さ１８０×縦２０×幅１．５ｃｍ、越流板（９０×７×１ｃｍ、１８０×７×１ｃｍ）角度４５°）を川幅１．８ｍ、水深約３０ｃｍ、流速２６ｃｍ／ｓの川に設置した。この時囲繞堰の吃水は８ｃｍ、水面上１２ｃｍであった。この時越流板３の上流側の水位は、下流側の水位より５ｍｍ程高くなっていた。そして図３に示すように越流板３の上流側２０〜３０ｃｍの箇所に筋状の波５が発生し、この波５と越流板３との間は淀み６になって止っている。越流板３の上縁部から淀んだ表層水が下流方向に流れ、越流板３’との間でゆっくりとして円運動の流れ７が生起する。さらに越流板３’の上縁部から表層水がＶ字先端方向に流れ、油溜部４に油分、漂流物と泡が滞留蓄積していった。この油溜部４では表層水流はなく、溜まった油分等の漏出もなかった。なお、前記円運動の流れ７は、囲繞堰１に沿った表層流の速度が中央部より速いため流水を集め中央に向けているものと推測される。
【符号の説明】
【００１５】１  囲繞堰
３  越流板
【図１】
2016131971.tif 000003
【図２】
2016131971.tif 000004
【図３】
2016131971.tif 000005
(57)【要約】【課題】      写真立てに於いて、表示主体の写真を修飾する立体的な物品を別枠として飾る事を可能ににして、多彩な表示を楽しむ写真立てを実現する。【解決手段】  透明な表面板に穴を穿ち、その穴に別枠の飾り枠を挿入する。この飾り枠の中に、プリクラや宝石等の表示したい物を入れて、本来の表示物である写真と共に表示する。この飾り枠にはシート状のものでも立体的な物でも入れる事が出来る。また、時計付き写真立てとして機能させるために、この飾り枠の中に磁気誘動の表示時針を入れて、時計付き写真立てする事も出来る。【選択図】      図１
2016131648.tif 000002
【特許請求の範囲】
【請求項１】
透明表面板に穿った穴又は凹部に、飾り枠を着脱自在に嵌合させる写真立てであって、この飾り枠内に様々な物品を格納して表示する事を特徴とする飾り枠付き写真立て。
【請求項２】
飾り枠内に磁石又は磁性材を取り付けた表示時針を格納した請求項１及び請求項２記載の飾り枠付き写真立て。
【発明の詳細な説明】
【技術分野】
【０００１】
本発明は、写真立てに関する。
【背景技術】
【０００２】
写真立ては絵画や写真を表示して楽しむものであるが、表示主体である絵画や写真を引き立たせる他の表示物を飾る事が出来れば、更に思い出深い表示となり楽しい。
【０００３】
色々な表示物を着脱自在に表示する写真立てとして特許文献１が存在するが、これは一つの写真立てに、複数の表示を並列的に表示するもので、本考案の様に表示主体を更に引き立てるための修飾用の表示を行うものではない。更に本考案は写真だけではなく、記念品や時計の時針等を格納する空間を有するもので、その点に於いても差異がある。
【先行技術文献】
【特許文献】
【０００４】
【特許文献１】特願平８−４１９８８
【発明の概要】
【発明が解決しようとする課題】
【０００５】
本考案は、簡単に写真立ての表示主体である写真等を引き立てる目的で表面板の一偶に（中央でもかまわないが）修飾用の表示をする事を可能にするものであり、立体的な表示物も取り替えて飾ることが出来るようにするものである。
【課題を解決するための手段】
【０００６】
写真立ての透明表面板に穴を穿ち、この穴に写真を修飾するための立体の飾り枠を着脱自在に嵌合させる。そしてこの空間内に、写真や記念品を入れたり、磁気誘動式の時針を入れたりする。
【発明の効果】
【０００７】
本来の表示物である写真の他に、例えばその写真に纏わるエピソードを連想させる様な記念品を当該表示枠内に表示する事が出来るので、見る度に感動の思い出を呼び覚ますこす事が出来る。
【０００８】
また、この中に磁気誘動式の磁石付き表示時針を入れて、背後から磁気駆動時針ユニットで時計動作させれば簡単に時計付き写真立てになる。
【図面の簡単な説明】
【０００９】
【図１】本考案の概要を示す斜視図
【図２】本考案に記念品である指輪を修飾表示した断面図
【図２】飾り枠が着脱自在であることを示す断面図
【図４】本考案に磁石付き時針を入れて、背後から磁気誘動駆動する断面図
【発明を実施するための形態】
【００１０】
以下図を使い本考案の飾り枠に指輪を入れた実施例を説明する。
アクリル板の透明表面板１００に表示枠嵌合穴１１０が穿たれていて、この穴に修飾表示のための修飾表示枠３００が嵌合していて、この中に指輪Ｍ１等の記念物を入れる。図に於いては穴１１０が穿たれているが、凹型の窪みでもよい。
【００１１】
この表面板１００と背板２００との間に表示主体である写真Ｐ挟み込んで固定ビス１５０で固定し、スタンド２５０を取り付けて、設置すれば図２に示す様に、指輪Ｍ１が入れらて修飾表示された表面板１００と、背板２００の間に富士山の写真Ｐが挟まれた写真立てとなるのである。
【００１２】
例えば、この写真立ての所有者が、富士山に行った時指輪を買った人でそれを記念してその様な表示を行ったとすれば、この写真立てを見る度に「富士山に行った時この指輪を買った」との思いでが思い起こされるのである。
【００１３】
更に、図３に示す様に、この修飾表示枠３００は着脱自在であり、中に入れられていた指輪Ｍ１をペンダントＭ２に取り替え、再度嵌め込んで表示する事が出来る。
【００１４】
図４に示す様に、この穴１１０に磁気誘動式時針枠４００を入れ、これを磁気誘動する磁気誘動式時針駆動モジュール４１０を、背板２００の前記磁気誘動式時針枠４００に対向する位置に固定する。これにより時計付き写真立てとして機能する。この場合には双方が近接した方がよいので背板２００にも穴をあけたり、凹部を設け、これに磁気誘動式時針駆動モジュール４１０を嵌合させてもよい。
【符号の説明】
【００１５】
１００    透明表面板
１１０    穴
１５０    固定ビス
２００    背板
２５０    スタンド
３００    修飾表示枠
４００    磁気誘動式時針枠
４１０    磁気誘動式時針駆動モジュール４１０
Ｍ１      修飾表示する指輪
Ｍ２      修飾表示するペンダント
【図１】
2016131648.tif 000003
【図２】
2016131648.tif 000004
【図３】
2016131648.tif 000005
【図４】
2016131648.tif 000006
【手続補正書】
【提出日】平成27年5月23日(2015.5.23)
【手続補正１】
【補正対象書類名】明細書
【補正対象項目名】０００９
【補正方法】変更
【補正の内容】
【０００９】
【図１】本考案の概要を示す斜視図
【図２】本考案に記念品である指輪を修飾表示した断面図
【図３】飾り枠が着脱自在であることを示す断面図
【図４】本考案に磁石付き時針を入れて、背後から磁気誘動駆動する断面図
(57)【要約】【課題】クリープ防止機能の寿命を向上させた転がり軸受とその取付構造を提供することを目的とする。【解決手段】内輪と、外輪と、前記内外輪間に複数配された転動体とを備えた転がり軸受において、前記外輪外周面に半月状の切欠溝を備え、その取付構造は、転がり軸受を収容するハウジングに前記切欠溝に対向する位置に半月状の係合溝を設け、前記切欠溝と前記係合溝とが成す空間に円柱状のピンを挿入する。これにより、ハウジングに対する転がり軸受のクリープが防止でき、切欠溝や係合溝の応力緩和を図ったためクリープ機能の寿命向上が可能となる。【選択図】図１
2016098939.tif 000002
【特許請求の範囲】
【請求項１】
内輪と、外輪と、前記内外輪間に複数配された転動体とを備えた転がり軸受において、前記外輪外周面に半月状の切欠溝を備えたことを特徴とする転がり軸受。
【請求項２】
転がり軸受をハウジングに取付ける軸受取付構造であって、転がり軸受を収容するハウジングに前記切欠溝に対向する位置に半月状の係合溝を設け、前記切欠溝と前記係合溝とが成す空間に円柱状のピンを挿入する請求項１記載の転がり軸受の取付構造。
【発明の詳細な説明】
【技術分野】
【０００１】
本発明は、転がり軸受に関し、詳しくは、クリープ防止機能を有する転がり軸受及びその取付構造に関する。
【背景技術】
【０００２】
従来、図２、図３に示すように、転がり軸受２０の外輪２１をハウジング３０に緩み嵌め状態又は止まり嵌め状態に取付ける場合、外輪に回転荷重が加わったときに外輪がハウジングに対して回転する現象（いわゆるクリープ現象）を防止する必要が有る。このようなクリープ防止手段としては、例えば、軸受端部に軸受と一体に設けたシールド板２２の外径縁に矩形の切欠２２ａを設け、軸受を収容するハウジング側に前記切欠に対応する突出部３０ａを設け、軸受をハウジングに組み込むことで、前記切欠と前記突出部とが係合してクリープを防止している。（特許文献１）
【先行技術文献】
【特許文献】
【０００３】
【特許文献１】特開平９−１７７８０４号公報
【発明の概要】
【発明が解決しようとする課題】
【０００４】
しかしながら、上記の構成によると、外輪に回転荷重が付加されると前記切欠と前記突出部とで衝撃荷重が入力され、矩形に形成された切欠や突出部に応力集中が高まり、これら部材の早期磨耗の虞があった。これにより、軸受のクリープ機能の早期滅失が懸念されていた。本発明は、上記事情に鑑みてなされたもので、その目的は、クリープ防止機能の寿命を向上させた転がり軸受とその取付構造を提供することにある。
【課題を解決するための手段】
【０００５】
前記課題を解決するための第一の発明は、内輪と、外輪と、前記内外輪間に複数配された転動体とを備えた転がり軸受において、前記外輪外周面に半月状の切欠溝を備えたことを特徴とする。
【０００６】
また、第二の発明は、内輪と、外周面に半月状の切欠溝を備えた外輪と、前記内外輪間に複数配された転動体とを備えた転がり軸受の取付構造であって、ハウジングに前記転がり軸受を収容したときに前記切欠に対向する位置に係合溝を備え、前記切欠溝と前記係合溝とが成す空間に円柱状のピンを挿入することを特徴とする。
【発明の効果】
【０００７】
上記構成及び取付構造を採用することによって、ハウジングに対する転がり軸受のクリープが防止でき、切欠溝や係合溝の応力緩和を図ったためクリープ機能の寿命向上が可能となる。
【図面の簡単な説明】
【０００８】
【図１】本発明に係る転がり軸受とハウジングとを示す斜視図である。
【図２】従来の転がり軸受とハウジングの組合せを示す図である。
【図３】図２におけるＡ−Ａ断面図である。
【発明を実施するための形態】
【０００９】
以下に、本発明の実施形態を図１に基づいて詳細に説明する。転がり軸受１は、内輪２と、外輪３と、前記内輪と前記外輪間にあって前記内輪と前記外輪とを相対回転させる複数の転動体４とを備えている。外輪の外周面には半月状の切欠溝５が軸受軸方向に向けて少なくとも１箇所以上設けられている。また、ハウジング６には転がり軸受を収容する軸受孔６ａが設けられており、転がり軸受が収容された際に前記切欠溝に対向する位置に半月状の係合溝７が設けられている。切欠溝と係合溝によって円柱状の空間が形成されて、当該空間に円柱状のピン８を挿入することで、軸受とハウジングとの固定とクリープ防止とを実現している。
【００１０】
なお、本発明は、前述した実施形態に限定されるものではなく、適宜な変形、改良等が可能である。例えば、潤滑剤としてグリースが用いられてもよい。
【符号の説明】
【００１１】
１…転がり軸受
２…内輪
３…外輪
４…転動体
５…切欠溝
６…ハウジング
７…係合溝
８…ピン
【図１】
2016098939.tif 000003
【図２】
2016098939.tif 000004
【図３】
2016098939.tif 000005
(57)【要約】      （修正有）【課題】軸受の潤滑性を維持しながら、調心機能付き軸受の組み立て性を向上させた、調心輪付きころ軸受を提供する。【解決手段】内輪２と、外径面が凸球面状に形成された外輪３と、内外輪間に複数配された転動体４と、外輪３の凸球面状の外径面に嵌合する、凹球面状の内径面を有する調心輪５とを備えた調心輪付きころ軸受において、調心輪５の内径面に入れ溝６が設けられ、調心輪５の外径面に周方向に渡って油溝９が設けられるとともに、入れ溝６と連通しないように、調心輪５の内径面の入れ溝６とは周方向にずれた位置に油溝７が設けられ、調心輪５の外径面の油溝９と内径面の油溝７とが連通している。【選択図】図１
2016098937.tif 000002
【特許請求の範囲】
【請求項１】
内輪と、外径面が凸球面状に形成された外輪と、前記内外輪間に複数配された転動体と、前記外輪の凸球面状の外径面に嵌合する凹球面状の内径面を有する調心輪とを備えた調心輪付きころ軸受において、前記調心輪の内径面に入れ溝が設けられ、前記調心輪の外径面に周方向に渡って油溝が設けられるとともに、前記入れ溝と連通しないように、前記調心輪の内径面の前記入れ溝とは周方向にずれた位置に油溝が設けられ、前記調心輪の外径面の油溝と前記内径面の油溝とが連通していることを特徴とする調心輪付きころ軸受。
【発明の詳細な説明】
【技術分野】
【０００１】
本発明は、調心輪付きころ軸受に関し、詳しくは、外輪を組み込みやすくするための入れ溝が設けられた調心輪を有するころ軸受に関する。
【背景技術】
【０００２】
調心輪付き円錐ころ軸受及び円筒ころ軸受は、外輪の凸球面状の外径面を調心輪の凹球面状の内径面に嵌合して構成される。一方、軸受内部への適切な潤滑剤の供給を行うために、調心輪内径面には軸受と同心の油溝が設けられている。
【０００３】
図４において、調心輪付き円錐ころ軸受の一例を示す。調心輪付き円錐ころ軸受３０は、外径面に内輪軌道が２列に設けられた内輪３２と、内径面に外輪軌道が２列に設けられた外輪３３と、各内外輪軌道間に複数配されたころ３４とを備えている。これによって、ころ３４は、軸受内に２列配されている。
【０００４】
外輪３３の外径面は、凸球面状に形成されている。軸受３０は、外輪３３の凸球面状の外径面に嵌合する凹球面状の内径面を有する調心輪３５を備えている。図５に示すように、調心輪３５は軸受軸方向の略中央部分において、軸線を法線とする平面で２分割にした一対の環状部材３５ａ、３５ｂによって構成されている。調心輪を成すこの一対の環状部材で凸球面状の外輪を挟み込み、調心輪に対する軸受の所定量の相対動を許容したまま軸受を保持している。ここで、互いの環状部材の合わせ面に潤滑剤供給用の油穴３５ｃが設けられるとともに、外輪外径面には前記油穴３５ｃに対向するように油溝３３ａが形成されており、前記油溝３３ａには外輪内径面へ連通する孔３３ｂによって軸受内部へ潤滑剤が導入されている。このように調心輪を分割組み立て式にしたので、調心輪付きころ軸受の組み立て性が向上している。（特許文献１）
【先行技術文献】
【特許文献】
【０００５】
【特許文献１】特開平９−２５７０４０号公報
【発明の概要】
【発明が解決しようとする課題】
【０００６】
しかしながら、上記の構成のように、調心輪付き軸受の組み立て性を考慮して調心輪を分割構成としたため、調心輪に備えた油穴３５ａの部位が分割面となり、軸受外に潤滑剤が流出する虞があった。本発明は、上記事情に鑑みてなされたもので、その目的は、軸受の潤滑性を維持しながら調心機能付き軸受の組み立て性を向上させた調心輪付きころ軸受を提供することにある。
【課題を解決するための手段】
【０００７】
前記課題を解決するための発明は、内輪と、外径面が凸球面状に形成された外輪と、前記内外輪間に複数配された転動体と、前記外輪の凸球面状の外径面に嵌合する凹球面状の内径面を有する調心輪とを備えた調心輪付きころ軸受において、前記調心輪の内径面に入れ溝が設けられ、前記調心輪の外径面に周方向に渡って油溝が設けられるとともに、前記入れ溝と連通しないように、前記調心輪の内径面の前記入れ溝とは周方向にずれた位置に油溝が設けられ、前記調心輪の外径面の油溝と前記内径面の油溝とが連通していることを特徴とする。
【発明の効果】
【０００８】
上記構成においては、入れ溝と油溝とが周方向にずれた位置に設けられて、それら入れ溝及び油溝が連通しないので、油溝に達した潤滑剤が入れ溝を介して外部に流出することがない。したがって、入れ溝を有して、外輪を調心輪に容易に組み込めることを維持しつつ、十分量の潤滑剤の供給を確保できる。また調心輪外径面の周方向に渡って油溝を設けたので、調心輪付きころ軸受のハウジングへの位置合わせの手間も省略できる。こうして、軸受寿命延長を図れるとともに、その軸受が組み込まれる装置の性能向上を図ることができる。
【図面の簡単な説明】
【０００９】
【図１】本発明に係る調心輪付きころ軸受の断面図である。
【図２】本発明に係る調心輪単品の斜視図である。
【図３】本発明に係る外輪単品の斜視図である。
【図４】従来の調心輪付きころ軸受の断面図である。
【図５】従来の調心輪付きころ軸受の調心輪を分解した断面図である。
【発明を実施するための形態】
【００１０】
以下に、本発明の実施形態を図１から図３に基づいて詳細に説明する。ここに示すように、調心輪付きころ軸受１は、内輪２と、外径面が凸球面状に形成された外輪３と、内外輪間に配置された複数の転動体４と、内径面が凹球面状に形成された調心輪５とによって構成されている。調心輪５の凹球面状に形成された内径面のうち、対向する箇所（１８０°位相間隔をあけた箇所）に、調心輪内径面内に外輪を組み込むための通過スペースとなる入れ溝６、６が設けられている。さらに、調心輪周方向において、入れ溝６，６と重らない位置に油溝７が設けられている。また、油溝の任意の位置には調心輪外径面に連通する油穴８が設けられている。この調心輪外径面に開口した油穴８は、調心輪外径面の周方向に渡って設けられた油溝９に位置している。
【００１１】
この構成により、軸受１の円周方向の位置合わせの必要が無く、外部から潤滑油等の潤滑剤が油溝９に供給される。油溝９に供給された潤滑剤は、前記油穴８を経由して油溝７に達する。油溝７が入れ溝６，６に連通していないので、油溝７に達した潤滑剤が、入れ溝６，６を介して外部に流出することはない。また、図３に示す外輪３にも、前記油溝６に対向する位置に外輪油穴３ａを設けることができる。外輪油穴３ａは、油溝７に対応するいずれかの箇所に開口すればよく、調心輪５の油穴８とはずれていても構わない。
【００１２】
なお、本発明は、前述した実施形態に限定されるものではなく、適宜な変形、改良等が可能である。例えば、潤滑剤としてグリースが用いられてもよい。
【符号の説明】
【００１３】
１…調心輪付きころ軸受
２…内輪
３…外輪
４…転動体
５…調心輪
６…入れ溝
７…油溝
８…油穴
９…油溝
【図１】
2016098937.tif 000003
【図２】
2016098937.tif 000004
【図３】
2016098937.tif 000005
【図４】
2016098937.tif 000006
【図５】
2016098937.tif 000007
(57)【要約】      （修正有）【課題】コンクリート、モルタル等への浸透性に優れ、水の浸透を防ぎ、カビ菌やバクテリアの繁殖を抑制すると同時に硫化水素ガスを触媒分解し、劣化と中性化を促進させないコンクリート等の表面劣化防止及び表面強化方法の提供。【解決手段】ナノシリカ粒子にナノシルバー（純銀）がケミカルボンディングされた水溶液並びにチタン粉末粒子が配合されたメチルケイ酸カリウム水溶液を特徴とするコンクリートの表面劣化防止及び表面強化用の浸透性組成物。【選択図】なし【特許請求の範囲】
【請求項１】
ナノシリカ粒子にナノシルバー（純銀）がケミカルボンディングされた水溶液並びにチタン粉末粒子が配合されたメチルケイ酸カリウム水溶液を特徴とするコンクリートの表面劣化防止及び表面強化用の浸透性組成物。
【請求項２】
ナノシリカ粒子にナノシルバー（純銀）がケミカルボンディングされた水溶液並びにチタン粉末粒子が配合されたメチルケイ酸カリウム水溶液を塗布することを特徴とするコンクリート及び珪素を含有する無機組成物並びに無機構造物の表面劣化防止及び表面強化方法。
【発明の詳細な説明】
【発明に属する技術分野】
本発明はコンクリート、モルタル、ケイ酸カルシウム板、石膏ボード、石膏造形物、コンクリートブロックや焼成レンガ等の表面劣化防止及び表面強化用に使用される水性浸透組成物と表面強化方法に関するものである。
【背景技術】コンクリート、モルタル、などの構造物は、四季の過酷な温度変化や雨・風・雪・太陽光などに常に晒されている。頻繁な雨水の浸透は、カビ菌やバクテリア・藻類の繁殖により劣化進行し黒色変化劣化は避けられない。更に、雨水が浸透するとアルカリ成分が炭酸ガスと反応して中性化が進行するため、表面から破壊強度が低下していく。
下水管や下水トンネルなどは、流れる汚水や化学成分とコンクリート表面に付着するカビ菌やバクテリア繁殖により、硫化水素ガスを発生させコンクリートに結露して劣化スピードを促進させる。【０００１】劣化や中性化を防ぐこれまでの方法として、フッ素樹脂、ウレタン樹脂、エポキシ樹脂、アクリル樹脂等の樹脂成分などで表面処理する方法が一般であった。しかし、樹脂による被覆膜だけでは浸透性に不足し、中性化を抑制しているとはいえない。また、樹脂塗膜の劣化及び硬化不良や密着不良等によるフクレなどの課題も多い。【０００２】一方では、水ガラスなどケイ酸塩によるコンクリート表面強化が知られている。
水ガラスなどケイ酸塩はコンクリートやモルタルなどへの浸透性に優れるものの、珪素とアルカリのモル比が４以下の珪酸塩を原料としているためアルカリ性が強く、コンクリート中の空隙に留まった場合にはアルカリ骨材反応により、ひび割れが発生することが多い、溜り水のアルカリ性が高いためにコンクリートの炭酸化反応速度が速くなり中性化を促進する懸念が生じる。
更に、水ガラスなどの珪酸塩のカルシウムとの反応が不十分な状態で水分等の影響を受けた場合撥水性がないことから成分が溶出してしまう問題や遅効性で効果が得られるまでの時間を要する、セメントのアルカリ成分（水酸化カルシウム等）と化合して保護層を形成させるためであるにもかかわらず水酸化カリウムが喪失してしまった古いコンクリートは効果が得られない等の課題が生じた。【０００３】又、珪弗化マグネシウム、珪弗化亜鉛などの珪弗化系化合物を使用する方法も採用される場合があったが、珪弗化系化合物は毒性があり、また腐食性があるなど環境汚染の原因となる。
珪弗化系化合物はケイ酸塩と同様な理由により古いコンクリートには効果の発現が得られ難い。
(57)【要約】【課題】従来の引き戸構造は鍵による施錠で隙間風を防止するか、引き戸部を加工して隙間風の防止を要していたが、本発明は引き戸ガクブチと外枠の隙間を活用して防音・防水・隙間風を防止する。【解決手段】引き戸ガクブチと外枠の隙間に隙間風防止機構をはめ込み、雄ネジを用いて平行運動が可能な相対板で双方にプレスをかける事で、引き戸ガクブチと外枠の隙間を無くすことにより密着面が増し、防音・防水・隙間風を防止する事に役立つ。更に着脱式なので、幾度となく使用可能な隙間風防止機構である。【選択図】図1
2016098634.tif 000002
【特許請求の範囲】
【請求項１】
相対板構造で、一枚板Ａにはガイドピン2本とガイドピン中央部に雄ネジピンで構成され、一枚板Ｂにはガイドピン2本の貫通穴と雄ネジ貫通穴で構成され、ガイドピンＡからガイドピンＢにはめ込み、一枚板Ｂから雄ネジを一枚板Ａまで貫通させ、雄ネジを回転運動させる事により相対板を平行運動させ、取り付け取り外し可とする隙間風調整ネジ機能を特徴とする隙間風防止機構。
【発明の詳細な説明】
【技術分野】
【０００１】
本発明は引き戸部の隙間風防止機構に関する。          
【背景技術】
【０００２】
備え付けの鍵で施錠と、磁石素材を用いて隙間風を防いでいる。
【先行技術文献】
【特許文献】
【０００３】
特許出願平４−１８４４５４
【発明の概要】
【発明が解決しようとする課題】
【０００４】
従来の引き戸部の隙間風防止機構は引き戸備え付けの鍵による施錠と引き戸ガクブチを加工し、防音・防水・隙間風を防いでいたが、引き戸ガクブチと外枠の隙間に挟んで隙間風防止機構を使用できるので、既存の引き戸で防音・防水・隙間風を防止できる。
【課題を解決するための手段】
【０００５】
本発明の引き戸部の隙間風防止機構は、一枚板Ａがガイドピン2本とガイドピン中央部に雄ネジガイドピンとで構成され、一枚板ＢにはガイドピンＢにはガイドピン2本の貫通穴と雄ネジ貫通穴で構成されている。
【０００６】
ガイドピンＡをガイドピンＢに差し込み、一枚板Ｂより雄ネジを貫通させ、雄ネジが回転する事により相対板を平行運動させて引き戸ガクブチと外枠にプレスさせる事により、密着性を高めて防音・防水・隙間風を防ぐ事が出来る。
【０００７】
更に取り付け取り外しを特徴とし、隙間風を防ぐ。
【発明の効果】
【０００８】
以上説明してきた様に、本発明は引き戸ガクブチと外枠の隙間風防止機構は、相対板平行運動部材を引き戸ガクブチと外枠の隙間にはめ込み型なので、既存の引き戸部を加工せずに使用できる。
【０００９】
構成が簡素化の為、低コストであり、着脱が容易にでき、幾度となく使用できる。
【図面の簡単な説明】
【００１０】
【図１】は、引き戸ガクブチと外枠の隙間に隙間風防止機構をはめ込んだ実使用状態の断面図。
【００１１】
【図２】は、平行板にガイドピンを侵入させる為の２穴の貫通穴と、雄ネジを貫通させる為のネジ溝式の貫通穴が一体化している立体図。
【００１２】
【図３】は、平行板にガイドピン２本と雄ネジが侵入するガイドピン１本が一体化している立体図。
【００１３】
【図４】は、雄ネジ。
【発明を実施するための形態】
【００１４】
引き戸を閉め、鍵を施錠し、引き戸ガクブチと外枠の隙間にはめ込み、雄ネジで相対板を平行運動させると引き戸ガクブチと外枠が密閉状態とする。
【実施例】
【００１５】
以下、添付図に従って一実施例を説明する。
【００１６】
本発明の隙間風防止機構は耐久性に優れた素材で図１のＡ−１Ａ−２
Ａ−３Ａ−４が一体化した形態で、Ａ−２Ａ−３Ａ−４はガイドピンになっており、Ａ−４のみ雄ネジを差し込む雌ネジである。
【００１７】
Ｂ−１の一枚板に貫通穴Ｂ−２Ｂ−３Ｂ−４が空いていて、Ｂ−４のみ雄ネジを差し込む為の溝穴構造であるのと、平行板の開閉運動を安定させる為でもある溝穴構造である。
【００１８】
Ｃ−１はＡ−１Ｂ−１を接続させる為の雄ネジで、更に雄ネジをＢ−４に貫通させて、相対板を平行移動させる為の雄ネジ。
【００１９】
Ａ−５とＢ−５は滑り防止ゴムパッキン。
【００２０】
使用法はＡ−２をＢ−２に侵入させ、Ａ−３をＢ−３に侵入させて、Ｃ−１をＢ−４に回転させながら侵入させる。
【００２１】
そのままＣ−１をＡ−４に回転させながら侵入させ、相対板を平行移動出来るように組み立てて、隙間風防止機構を完成させる。
【００２２】
引き戸ガクブチと外枠の隙間に隙間風防止機構をはめ込み、Ｃ−１の雄ネジを相対板が開く方向に回転運動させ、引き戸ガクブチと外枠の隙間が無くなるまでＣ−１を回転させ、引き戸の隙間風を防止する。
【産業上の利用可能性】
【００２３】
本発明は引き戸ガクブチと外枠の隙間風防止機構である。
【００２４】
簡素化された構成により引き戸ガクブチと外枠の隙間風を防止する隙間風防止機構である。
【符号の説明】
【００２５】
Ａ−１  平行板、ガイドピン、雄ネジガイドピンと一体の板部材。
Ａ−２  ガイドピン。
Ａ−３  ガイドピン。
Ａ−４  雄ネジガイドピン。
Ａ−５  滑り止めゴムパッキン。
Ｂ−１  平行板、ガイドピン貫通穴、ネジ貫通穴一体の板部材。
Ｂ−２  ガイドピン貫通穴。
Ｂ−３  ガイドピン貫通穴。
Ｂ−４  雄ネジ貫通穴。
Ｂ−５  滑り止めゴムパッキン。
Ｃ−１  雄ネジ。
Ｄ−１  引き戸。
Ｄ−２  引き戸。
Ｅ−１  外枠。
【図１】
2016098634.tif 000003
【図２】
2016098634.tif 000004
【図３】
2016098634.tif 000005
【図４】
2016098634.tif 000006
(57)【要約】      （修正有）【課題】男性が小便を排泄するときに、便器に近づくように誘導する電子機器を提供する。【解決手段】センサーまたはスイッチ１などにより、小便器３に利用者が一定の距離まで近づいた場合のみ作動する電子機器２を用いることで、利用者が楽しく能動的に小便器３に近づくよう促す。【選択図】図１
2016098640.tif 000002
【特許請求の範囲】
【請求項１】
男性が小便時に、センサーやスイッチによって体が近づいている時のみ娯楽を提供するディスプレイや音声発生装置を有する電子機器。
【請求項２】
男性が小便時に作動し、一定時間内に体が便器から離れると警告を発する電子機器。
【発明の詳細な説明】
【技術分野】
【０００１】  本発明は、男性が便器に体を近づける一定期間、娯楽を提供する電子機器である。
【背景技術】
【０００２】  男性の小便が便器の外へ飛ぶことが多々あり、清掃が大変である。
【発明の開示】
【発明が解決しようとする課題】
【０００３】  男性が小便をする場合、体が便器から離れていると、小便の一部が便器外へ飛び出すことがある。用を足す間、使用者が便器に近づいてもらう必要がある。
【課題を解決するための手段】
【０００４】  男性が便器に体を近づけている間のみ、用を足す程度の一定時間、電子機器により光や音による娯楽（占いや音楽、ディスプレイ表示など）を提供する。使用者は楽しく能動的に便器に近づき、小便が外へ飛び出すことを減少させる。
【発明の効果】
【０００５】  便器外へ飛び出した小便の清掃頻度を減少させる。
【発明を実施するための最良の形態】
【０００６】  以下、本発明の実施の形態を説明する。
（イ）便器やその付近にセンサーまたはスイッチを取り付ける。
（ロ）ディスプレイ表示は使用中利用者が見える場所に、音は使用中利用者が聞              こえるように設置する。
（ハ）一度装置が作動すると、用を足す程度の一定時間の間に利用者がセンサー              エリアから離れたり、スイッチから離れたりした場合は、提供が停止した              り、音や光が小さくなったり、警告を発したりすることで利用者が便器に              近づくように促す。
本発明は以上のような構造である。
センサーやスイッチにて便器と利用者が一定距離内になった時のみ作動する電子機器を用い、目や耳で楽しませる。
【図面の簡単な説明】
【０００７】
【図１】  本発明の斜視図
【図２】  本発明の左側面図
【符号の説明】（１）センサーまたはスイッチ部分、（２）電子機器の本体部分、（３）（小便器）
【図１】
2016098640.tif 000003
【図２】
2016098640.tif 000004
(57)【要約】【課題】外部装置を必要としない簡素な自動液体供給容器を提供する。【解決手段】パウチ容器の口栓からパウチ容器の底の接着部にかけて管を貫通させた容器に、加圧した気体と液体を封入した。  パウチ容器の底の接着部を折り曲げることで管が破損し開栓する。  開栓された後、気体から受けた圧力で液体がパウチ容器の口栓から外部へ供給される。【選択図】図１
2016098021.tif 000002
【特許請求の範囲】
【請求項１】
パウチ容器の中に加圧した気体と液体を封入し、パウチ容器の口栓から接着部の底面にかけて管を貫通させたことを特徴とするパウチ容器
【発明の詳細な説明】
【技術分野】
【０００１】
本発明は液体を自動供給できる容器に関するものである。
【背景技術】
【０００２】
従来、液体の自動供給装置として容器に外部から力を与えて液体を供給するシステムまたは高低差で液体を供給するシステムなどが利用されている。
例として、特許文献１〜２を挙げる
【０００３】
従来の液体を供給するシステムは、外部の装置から力を受けている為、液体の容器と別の何らかの外部装置が必要であった。その外部装置が製造コスト、設置スペース及び取り付けの作業時間に対して悪影響を与えていた。
【先行技術文献】
【特許文献】
【０００４】
【特許文献１】特開２００３−１９２１００号公報
【特許文献２】特開２００１−２５９０２７号公報
【発明の概要】
【発明が解決しようとする課題】
【０００５】
従来の液体を供給する為の容器は外部から圧力を受けて液体を排出している為、容器以外の加圧装置が必要である。しかし、加圧装置によってコストとスペースに悪影響を及ぼす。従って、加圧装置を無くすことで、低コスト化と省スペース化を図る。
【課題を解決するための手段】
【０００６】
外観図を図２に示す。薄い樹脂膜と口栓２で構成されたパウチ容器１がある。パウチ容器１の接着部にはポケット１０を設けている。パウチ容器の内部構造を図１に示す。管３はパウチ容器１の口栓２を貫通して接着部のポケット１０に挿入されている。管３の先端は閉じている。管３は口栓２とパッキン４によりパウチ容器１内を密閉している。パウチ容器１内部には加圧した気体と液体７が封入されている。
【０００７】
液体７を液体を必要とする対象に供給する手順を図３に示す。栓６をパッキン５から抜き、液体を供給したい対象９をパッキン５へ挿入する。パウチ容器１の接着部のポケット１０に力を与えパウチ容器１の接着面とパウチ容器１内部の境界を折り曲げる。（図３ｂ）その時のパウチ容器１の内部を図４に示す。接着面の折り曲げにより管３の先端が折損する。次に加圧された気体により、液体が管３の破損箇所通じて口栓２から対象９へ排出される。以上により液体の自動排出を可能としている。
【０００８】
本発明の構造として図１を示めす。  管３の内部には液体８を封入してあり栓５とパッキン６で密封している。  以上により開栓後に気体を混入させることなく液体のみを供給することができる。
【発明の効果】
【０００９】
本発明により外部の装置に頼ることなく、パウチ容器だけで内部の液体を供給することができる。
【図面の簡単な説明】
【００１０】
【図１】図１は開栓前の断面図である。
【図２】図２は外観図である。
【図３】図３は開栓前後の外観図である。
【図４】図４は開栓後の断面図である。
【発明を実施するための形態】
【００１１】
図１はパウチ容器１の接着面と管３の位置関係を示めした断面図である。パウチ容器１の内部には圧力がかかっている為、パウチ容器１の中央部を折り曲げて管３を破損させることは困難である。一方、パウチ容器１の接着面と容器内部の境界を折り曲げすることは容易である。そこでパウチ容器１のポケット１０に管３の先端を挿入した。パウチ容器１の接着面と容器内部の境界を折り曲げるとポケット１０も同時に曲がる為、ポケット内部の管３の先端が折損する。（図４）
【００１２】
図１は、管３の先端に切り欠きを設けたことを特徴とする断面図である。  切り欠きによって応力集中させ管３の破損させる部位を制御している。管３の切り欠きが破損した状態を図４に示す。
【００１３】
図１は、管３の内部に液体を封入したことを特徴とする断面図である。管３の内部には、液体８を充填している。  管３の内部を気体にした場合、パウチ容器１内の液体が外部にでる際に管３内の気体が先に供給される為、液体の供給先に悪影響を与えてしまう。管２の内部に液体を注入しておけば液体の供給先に気体を混入させることは無い。
【産業上の利用可能性】
【００１４】
植物への栄養剤補給に本発明を利用することで低コストで植物の成長を促進させたり、腐敗防止を図ることができる。
【００１５】
医療分野における人体への薬剤の供給を本発明により低コストで実現できる。
【００１６】
工業分野における機械への燃料、潤滑油の供給を本発明により低コストで実現できる。
【符号の説明】
【００１７】
１軟性の樹脂膜で構成されたパウチ容器
２パウチ容器に接着された樹脂の口栓
３先端が閉じた管
４口栓２と管３をシールするパッキン
５口栓２と液体供給する対象９をシールするパッキン
６管３内の液体8をシールする栓
７対象９に供給する液体
８管３内に保存された液体
９液体を供給する対象
１０パウチ容器１接着面に設けられたポケット
【図１】
2016098021.tif 000003
【図２】
2016098021.tif 000004
【図３】
2016098021.tif 000005
【図４】
2016098021.tif 000006
(57)【要約】【課題】ポンプ式液体容器は、容器内の液体が残り少なくなると吐出が安定しなくなり、ある程度の量が残っているのにもかかわらず吐出できなくなるものであった。本発明は、容器に入れられたシャンプー等を従来のものより使い切ることができるポンプ式液体容器である。【手段】残り少なくなった液体が集まるように容器内部の底面に傾斜をもたせた容器部、容器底部にほぼ接する長さのチューブを備えるポンプ部からなる。【選択図】図１
2016098043.tif 000002
【特許請求の範囲】
【請求項１】
底面に傾斜を付けることで、容器に入れた液体が残り少なくなくなってきても出しやすいポンプ式液体用容器。
【発明の詳細な説明】
【技術分野】
【０００１】  本発明は、残り少なくなっても出しやすいポンプ式液体用容器に関するものである。
【技術背景】
【０００２】  ポンプ式液体用容器はシャンプーやボディーソープ等の容器として用いられ、容器上部のポンプ部分を押し下げることなどによって一定量の液体を吐出するものである。
従来のポンプ式液体用容は、内容量が一定量を下回ると液体の吐出が安定しなくなり、ある程度の量を残して吐出できなくなった。
また、ポンプを斜めにしたもの（特許文献１）、液体の吸引・抽出により容器が収縮するものなどが知られている。
【先行技術文献】
【０００３】
【特許文献１】特許公開２００８−３７４７６
【特許文献２】特許公開２０１２−２４５９９３
【発明の概要】
【発明が解決しようとする課題】
【０００４】  これまでのポンプ式液体用容器には、次のような欠点があった。
（イ）、容器内の液体が少なくなると吐出が安定しなくなり、ある程度の量が残っているのにもかかわらず吐出できなくなる。
【課題を解決するための手段】
【０００５】  残り少なくなった液体が集まるように底面に傾斜をつけた容器の内部（１）と、容器内部の底部にほぼ接するチューブ（３）を備えるポンプ部（２）からなる。
以上の構成によるポンプ式液体用容器。
【発明の効果】
【０００６】  本発明を使用することによって、ポンプ式液体用容器に入れられたシャンプー等を従来のものより使い切ることができる。
【図面の簡単な説明】
【０００７】
【図１】本発明のポンプ式液体容器の断面図
【本発明を実施するための形態】
【０００８】  以下、本発明の実施の形態を説明する。
（イ）内部の底面に傾斜をもたせた容器部（１）、容器底部にほぼ接する長さのチューブ（３）を持つポンプ部（２）で構成される。
【符号の説明】
【０００９】  １  容器部
２  ポンプ部
３  チューブ
【図１】
2016098043.tif 000003
(57)【要約】【課題】通常液体商品を詰め替えするときは、容器が動かないように片手で容器を固定し、もう一方の片手で商品をつかんで詰め替えをします。そうすると商品はプラスチックの袋に入っているので折れ曲がりやすく液体がこぼれてしまうことがあります。そこで詰め替え容器を固定することで両手で液体商品を持つことができるようにしたものです。【解決手段】詰め替え容器よりも大きな筒状の容器を作り上部に切れ目を入れた弾力性のあるふたを作りそこに詰め替え容器を差し込んで固定した詰め替え容器。【選択図】図１
2016098042.tif 000002
【特許請求の範囲】
【請求項１】
（イ）筒状の固定容器（１）の上部に差し込み蓋（２）を、着脱自在に取り付ける、
（ロ）差し込み蓋（２）の中心から放射状に複数の切れ目（３）を設ける、
（ハ）固定容器（１）に取り付けた差し込み蓋（２）の上部より、詰め替え用容器（４）      を差し込んで固定容器（１）に詰め替え用容器（４）を固定する、
以上の様に構成された詰め替え容器。
【発明の詳細な説明】
【技術分野】
【０００１】本発明は液体商品を容器に詰め替えるときに容器を固定するものです。
【背景技術】
【０００２】昨今、詰め替え商品が多く販売されています。液体商品を容器に詰め替えるときに、片手で詰め替え容器を手でつかみ、片手で液体商品をつかんで入れようとすると、液体商品が途中で折れてしまいこぼしてしまうことが多々ありました。
【発明の概要】
【発明が解決しようとする課題】
【０００３】通常液体商品を詰め替えするときには、容器が動かないように片手で容器をつかみ、もう一方の手で、詰め替え商品をつかんでいれます。そうすると詰め替え商品の袋が途中で折れ曲がってしまい、液体がこぼれてしまうことがあります。じょうごを使うという方法もありますが、その都度じょうごを洗わなければいけないし、また、商品によっては同じじょうごを使用したくない場合もあると思います。この発明は液体商品をこぼさずに詰め替えできるものです。
【課題を解決するための手段】
【０００４】容器を固定する筒状のものを設け、上部に切れ目を入れた差し込み蓋をはめ、そこに容器を差し込んで固定することで、両手で詰め替える液体商品の袋を持って詰め替えを行う、詰め替え容器。
【発明の効果】
【０００５】詰め替え容器を固定すれば両手で詰め替え商品の袋を持つことができ、袋が途中で折れることもなくまた液体をこぼさずに簡単に詰め替えを行うことができます。
【図面の簡単な説明】
【０００６】
【図１】本発明の斜視図
【図２】本発明の使用状態
【発明を実施するための形態】
【０００７】  以下、本発明の実施の形態を説明します。
（イ）筒状の固定容器（１）の上部は開口され、その開口部には差し込み蓋（２）を、着      脱自在に取り付ける。
（ロ）差し込み蓋（２）は例えばシリコン等の柔軟性を有する差し込み蓋（２）で差し込      み蓋（２）の中心から放射状に複数の切れ目（３）を設ける。
（ハ）固定容器（１）の上部の開口部に差し込み蓋（２）を取り付け、差し込み蓋（２）      の上部より、詰め替え用容器（４）を差し込むと、放射状になった切れ目（３）が      下方に押され、ガイドされながら固定容器（１）に詰め替え用容器（４）が固定さ      れる。
本発明は以上のような構造です
【０００８】本発明を使用するときは筒状の固定容器（１）の上部に差し込み蓋（２）を取り付けて差し込み蓋（２）の上部より詰めかえ用容器（４）を差し込んで固定します。
そして両手で詰め替え用液体商品の袋をもって詰め替えをします。
【符号の説明】
【０００９】１  固定容器    ２  差し込み蓋    ３  切れ目    ４  詰め替え容器
【図１】
2016098042.tif 000003
【図２】
2016098042.tif 000004
(57)【要約】【課題】    高齢化社会になり、屋根に上がって雪降しするのが苦になっていく中、年々多くなっていく雪降し中の死亡事故をなくすために、防護柵をつける事で屋根の高さを感じにくくし、安全に雪降しができるよう、防護柵の根元に設置する防護柵止め支柱根元固定具を提供します。【解決手段】  防護柵の根元部分に、支柱受（１）と過重受（２）と支柱振れ止め（３）と瓦屋根用雪止め（４）を溶接し一体化させた防護柵止め支柱根元固定具を特徴とする。【選択図】図１
2016145501.tif 000002
【特許請求の範囲】
【請求項１】
支柱受（１）と過重受（２）と支柱振れ止め（３）と瓦屋根用雪止め（４）を溶接し一体化させた防護柵止め支柱根元固定具。
【発明の詳細な説明】
【技術分野】
【０００１】  この発明は、雪国の屋根に積もった雪を屋根から降ろす時に使う「防護柵止め支柱根元固定具」に関するものです。
【背景技術】
【０００２】  最近の新聞記事に「今冬の除雪作業中の死亡事故が後を絶たず、新潟県によると既に７人が亡くなった。一昨年の同時期は２人、昨年同時期は５人と、年々増えており、背景には高齢者世帯の増加や人手不足がある。」とありました。いろいろ調べましたが、屋根の雪降ろし中の死亡事故をなくす道具は中々ありません。
【先行技術文献】
【特許文献】
【０００３】
【特許文献１】
【発明の概要】
【発明が解決しようとする課題】
【０００４】  屋根の積雪を降ろすものを調べてみました。
「長い棒状のものを屋根の下からつっついて雪を落とすもの」は下にいる人に雪が落ちて非常に危険です。
「屋根の上から家の反対側に綱をまわして固定し、その綱を命綱として使うもの」は、雪深い雪国では難しいです。
どれも、二階家屋や高床式家屋が多い新潟県では実践的ではありません。
本発明は、以上のような欠点を無くすためになされたものです。
【問題を解決するための手段】
【０００５】  支柱受（１）と過重受（２）と支柱振れ止め（３）と瓦屋根用雪止め（４）を設けます。これらを溶接して一体化させます。これが防護柵を止める支柱の根元の固定具になります。支柱受（１）には単管（支柱）を差し込み、その単管に横に２本の単管を２段（下段は上下の移動が可能）になるようにつなぎます。１．８メートルおきに固定具を置き、屋根の長さまで横格子を作っていきます。過重受（２）には転倒防止パイプをつないで、その両端はそれぞれ２本の既存雪止めアングル（雪国の屋根に設置されている）に固定します。また防護柵の強度については防護柵（上段部分）の２箇所に各６０ｋｇの荷重を与えて実証済みです。
本発明は、以上の構成よりなる防護柵止め支柱根元固定具です。
【発明の効果】
【０００６】  雪が降ると過重受（２）に雪の重みがかかり安定します（積雪１５〜２０ｃｍあれば可能）。高い屋根に登って雪降し作業する時も防護柵があれば、高さを感じにくいです。また雪が降る前に綱を防護柵に引っ掛けて綱の両端が地面に届くように準備しておいて、雪降し時に梯子を利用するときには綱の一端を身体に結びつけ、もう一端を地面にいる相方が持って綱が緩まぬように引っ張っていると命綱にもなります。
同様に命綱を利用して除雪道具（スコップや除雪用ダンプ）を屋根の上に持ち上げることも比較的楽にできます。
【図面の簡単な説明】
【０００７】
【図１】本発明の全体図です。
【図２】本発明の側面図です。
【図３】本発明の平面図です。
【図４】本発明の使用例です。
【発明を実施するための形態】
【０００８】  以下、本発明を実施するための形態について説明します。
支柱受（１）と過重受（２）と支柱振れ止め（３）と瓦屋根用雪止め（４）を設けます。これらを溶接して一体化させます。これが防護柵を止める支柱の根元の固定具になります。
本発明は、以上のような構造です。
これを使用するときは、支柱受け（１）に単管（支柱）を差し込み、その単管に２本の単管を２段になるようつなぎます。１．８メートル毎に固定具を置き、単管をつないで屋根の長さまで横格子を作っていきます。また過重受（２）は転倒防止パイプにつないで、その両端はそれぞれ２本の既存雪止めアングル（雪国の屋根には設置されている）に固定します。瓦屋根の場合は瓦屋根用雪止め（４）に他の単管をつないでいきます。その単管の１．８メートル先で次の瓦屋根用雪止め（４）につながります。
【符号の説明】
【０００９】  １  支柱受
２  過重受
３  支柱振れ止め
４  瓦屋根用雪止め
【図１】
2016145501.tif 000003
【図２】
2016145501.tif 000004
【図３】
2016145501.tif 000005
【図４】
2016145501.tif 000006
(57)【要約】【課題】手袋の指を４本にする事で、親指と人差指と中指を分け、薬指と小指を一体化させ作業性と保温性を両立させるができる４本指の水中スポーツ用手袋を提供する。【解決手段】手袋の指を４本にする事で、親指と人差指と中指を分け、薬指と小指を一体化させ作業性と保温性を両立させるができる。以上を特徴とする４本指の水中スポーツ用手袋。【選択図】図１
2016145438.tif 000002
【特許請求の範囲】
【請求項１】
手袋の指を４本にする事で、親指と人差指と中指を分け、薬指と小指を一体化させ，作業性と保温性を両立させるができる事を特徴とする４本指の水中スポーツ用手袋。
【発明の詳細な説明】
【技術分野】
【０００１】本発明は、手袋の指を４本にする事で、作業性と保温性を両立させることが出来る４本指のスポーツ用手袋に関するものである。
【背景技術】
【０００２】従来、３本指と５本指の水中スポーツ用手袋はあった。
【発明の概要】
【発明が解決しようとする課題】
【０００３】  その為、次のような問題があった。
イ．３本指の手袋は親指と人差指が分かれ、中指と薬指と小指が一体化している為、中指と薬指と小指の保温性は優れているが、中指が使えず親指と人差指だけで物を掴んだりする為、作業性が悪かった。
ロ．５本指の手袋は物を掴んだりする作業性に優れていたが、３本指に比べて中指と薬指と小指の保温性が劣った。
【課題を解決するための手段】
【０００４】手袋の指を４本にする事で、親指と人差指と中指を分け、薬指と小指を一体化させ作業性と保温性を両立させるができる。
以上を特徴とする４本指の水中スポーツ用手袋。
【発明の効果】
【０００５】親指と人差指と中指を使うことが出来、物を掴んだりすることが容易になり、薬指と小指が一体化している為、保温性にも優れている。
【発明を実施するための最良の形態】  以下、本発明の実施の形態について説明する。
イ．親指（１）と人差指（２）中指（３）を分ける
ロ．薬指（４）と小指（５）を一体化させる
【図面の簡単な説明】
【０００７】
【図１】本発明の全体図
【図２】従来の３本指手袋の全体図
【図３】従来の５本指手袋の全体図
【符号の説明】
【０００８】１  親指
２  人差指
３  中指
４  薬指と小指
【図１】
2016145438.tif 000003
【図２】
2016145438.tif 000004
【図３】
2016145438.tif 000005